(57)【要約】【課題】  安価で効率的な梱包を実現する機器筐体を提供する。【解決手段】  本発明のＬＮＢ１は、内部部材７を収容する筐体６を備え、この筐体６が角部分領域を形成するダイカスト部２と、この角部領域以外を形成するプラスチック筐体部５との組み合わせにより構成されている。そして、ダイカスト部２は、プラスチック筐体部５よりも外圧による破壊が生じにくい、内部部材７の一部によって形成されている。  このため、ＬＮＢ１は、安価で効率的な梱包を可能とすることができる。【選択図】  図２
2007030955.tif 000002
【特許請求の範囲】
【請求項１】
機器の内部部材を収容する機器筐体であって、
当該機器筐体における角部分領域を形成する第１筐体部と、該角部領域以外を形成する第２筐体部とで構成されており、
上記第１筐体部は、上記第２筐体部よりも外圧による破壊が生じにくい、上記内部部材の一部によって形成されていることを特徴とする機器筐体。
【請求項２】
上記機器が放送信号受信用の変換機であり、
上記第１筐体部は、上記内部部材を構成する一部品として鋳造された金属であることを特徴とする請求項１に記載の機器筐体。
【請求項３】
収納容器内部において梱包対象物を所定位置に配置させるための配置部材であって、
空気を注入するための注入口と、
上記注入口から注入された空気により膨張して、梱包対象物を収容するための空間を形成する空気袋とを備えたことを特徴とする配置部材。
【請求項４】
上記空気袋が膨張状態にある場合、該空気袋から上記空間に向かって突出している、複数の突起部を備えていることを特徴とする請求項３に記載の配置部材。
【発明の詳細な説明】
【技術分野】
【０００１】
本発明は、機器の内部部材を収容する機器筐体、および梱包対象物を収納容器内部の所定位置に配置させるための配置部材に関するものである。
【背景技術】
【０００２】
従来から、機器などの製品をダンボール箱に収容し梱包する場合、例えば図８に示すように角パッド１０２、仕切り１０３、および補強枠１０４などの保護材を複数組み合わせて、該製品の弱い部分を補って破壊が生じることを防ぐように工夫がなされている。なお、この図８は、従来技術を示すものであり、ローノイズブロックコンバータ（以下ＬＮＢ；Low Noise Block Converterと称する）のダンボール箱への収容時における梱包構造の一例を示す図である。
【０００３】
上記した保護材を利用して製品を梱包する梱包箱の例として、例えば特許文献１では、スペーサを分割配置して商品を梱包する梱包箱が開示されている。この梱包箱は、該梱包箱本体内面に突起部を形成しており、梱包箱の閉止側に分割配置されるスペーサを位置決め固定することができるようになっている。
【特許文献１】特開平１１−２９２０６２号公報（１９９９年１０月２６日公開）
【発明の開示】
【発明が解決しようとする課題】
【０００４】
しかしながら、上記従来の構成では、上記した複数種類の保護材を組み合わせるなど製品の梱包箱への収容に時間がかかり作業効率の低下を招く。さらには、複数種類の保護材を複数用意するなど別途費用がかかりコストアップを招来する。
【０００５】
また、保護材を収容するためのスペースを確保する必要があるため、梱包箱のサイズも梱包対象の製品のサイズに比して大幅に大きくなり、運搬効率の低下を招くといった問題も生じる。
【０００６】
特に、梱包対象の製品がＬＮＢなどのように、繊細で高価な装置の場合では、運搬時に破損などが生じないように、より厳重に保護材を用いて梱包箱を組み立てる必要が生じる。このため、梱包対象が上記ＬＮＢなどのような装置の場合、上記した作業効率の低下、コストアップ、および運搬効率の低下をより増加させてしまうこととなる。
【０００７】
本発明は、上記の問題点に鑑みてなされたものであり、その目的は、安価で効率的な梱包を可能とする機器筐体を実現することにある。また、本発明は、梱包作業の効率の向上を図ることができる配置部材を実現することにある。
【課題を解決するための手段】
【０００８】
本発明に係る機器筐体は、上記した課題を解決するために、機器の内部部材を収容する機器筐体であって、当該機器筐体における角部分領域を形成する第１筐体部と、該角部領域以外を形成する第２筐体部とで構成されており、上記第１筐体部は、上記第２筐体部よりも外圧による破壊が生じにくい、上記内部部材の一部によって形成されていることを特徴とする。
【０００９】
上記構成によると、上記第１筐体部が、本発明に係る機器筐体における角部分領域において、上記第２筐体部よりも外圧による破壊が生じにくい内部部材の一部により形成されている。なお、ここで、破壊とは、固体材料（すなわち、機器筐体）が、外力の作用のもとに二つ、またはそれ以上の部分に分離する現象を意味する。
【００１０】
ところで、上記機器筐体における角部分領域は、機器を例えばダンボール箱などの収容容器に収め運搬する際に、最も外圧を受け破壊が生じやすい部位である。このため従来では、機器の梱包時において、角部分領域の破壊を防止するために、該角部分領域にかかる外圧を吸収するための保護材を用いている。
【００１１】
本発明に係る機器筐体は、上記角部分領域が、該角部分領域以外の他の部位である第２筐体部よりも破壊が生じにくい金属によって形成されている。このため、機器筐体がすべて第２筐体部によって形成されている場合と比較して角部分領域の破壊の発生を低減させることができる。
【００１２】
このため、本発明に係る機器筐体を備える機器の梱包では、従来のような保護材の使用量を低減させることができ、上記機器の梱包時における梱包作業を簡素化させることができる。したがって、本発明に係る機器筐体は、機器に対する梱包作業の効率化を図ることができるとともに、保護材の使用量を低減させることができるため、保護材にかかる費用を抑えることができる。
【００１３】
また、上記機器に取り付ける保護材の使用量を低減させることができるため、機器を梱包し運搬する際の１回の運搬量を抑えることができ運搬効率を向上させることができる。
【００１４】
また、この第２筐体部は、機器の内部部品の一部によって形成されており、機器の梱包用にわざわざ設けられたものではないため、機器の梱包のために新たな部材を準備する必要がない。
【００１５】
したがって、本発明に係る機器筐体は、安価で効率的な機器の梱包を可能とすることができるという効果を奏する。
【００１６】
また、本発明に係る機器筐体は、上記した構成において、上記機器が放送信号受信用の変換機であり、上記第１筐体部は、内部部材を構成する一部品として鋳造された金属であってもよい。
【００１７】
上記構成によると、上記第１筐体部は、内部部材を構成する一部品として鋳造された金属であるため、第１筐体部を適切な形状となるように容易に形成することができる。このため、内部部材の製造時において、上記第１筐体部を形成するために特別な工夫あるいは技術が要求されることがないため、本発明に係る筐体を有する機器の製造にかかるコストが大幅に増大することがない。
【００１８】
また、上記第１筐体部を形成する一部品は、放送信号受信用の変換機が一般的に内蔵しているものであり、上記筐体の保護用に特別に設けられた部材ではない。このため梱包を目的として、新たな部材を追加することがなく、また、角部分領域にかかる外圧を低減させるための保護材の使用も低減することができるため、全体として、本発明の機器の梱包作業に係るコストを低減させることができる。
【００１９】
また、本発明に係る配置部材は、上記した課題を解決するために、収納容器内部において梱包対象物を所定位置に配置させるための配置部材であって、空気を注入するための注入口と、上記注入口から注入された空気により膨張して、梱包対象物を収容するための空間を形成する空気袋とを備えたことを特徴とする。
【００２０】
上記構成によると、本発明に係る配置部材は、上記注入口および上記空気袋を備えているため、該注入口に空気を送りこむだけで該空気袋が膨張し、収納容器内部に梱包対象物を収容するための空間を形成することができる。
【００２１】
このように、本発明に係る配置部材は、空気を送り込むだけで空気袋により、仕切りを形成することができるため、梱包対象物の梱包時に、迅速に形成することができる。
【００２２】
また、本発明に係る配置部材は、膨張した空気袋により梱包対象物にかかる外圧を低減させることができる。このため、他の保護材を必要とせず、梱包時に複数種類の保護材を組み合わせる場合と比較して、梱包対象物の梱包作業を簡素化できる。
【００２３】
したがって、本発明に係る配置部材は、梱包作業の効率の向上を図ることができるという効果を奏する。
【００２４】
また、本発明に係る配置部材は、上記した構成において、上記空気袋が膨張状態にある場合、該空気袋から上記空間に向かって突出している、複数の突起部を備える構成であってもよい。
【００２５】
上記構成によると、上記空気袋が、複数の突起部を備えているため、例えば、梱包対象物が凹凸形状である場合、凹凸部分に突起部が収まることとなる。このため、本発明に係る配置部材は、所定位置において梱包対象物の定着性を向上させることができる。
【００２６】
したがって、本発明に係る配置部材は、収容されている梱包対象物が移動して外圧を受けて破壊されるような事態を防ぐことができる。
【発明の効果】
【００２７】
本発明に係る梱包対象物は、以上のように、機器の内部部材を収容する機器筐体であって、当該機器筐体における角部分領域を形成する第１筐体部と、該角部領域以外を形成する第２筐体部とで構成されており、上記第１筐体部は、上記第２筐体部よりも外圧による破壊が生じにくい、上記内部部材の一部によって形成されていることを特徴とする。
【００２８】
したがって、本発明に係る機器筐体は、安価で効率的な機器の梱包を可能とすることができるという効果を奏する。
【００２９】
また、本発明に係る配置部材は、以上のように、収納容器内部において梱包対象物を所定位置に配置させるための配置部材であって、空気を注入するための注入口と、上記注入口から注入された空気により膨張して、梱包対象物を収容するための空間を形成する空気袋とを備えたことを特徴とする。
【００３０】
したがって、本発明に係る配置部材は、梱包作業の効率の向上を図ることができるという効果を奏する。
【発明を実施するための最良の形態】
【００３１】
（実施形態１）
本発明の一実施形態について図１〜図３に基づいて説明すると以下の通りである。すなわち、本実施の形態では、梱包対象物として、図３に示すように、衛星放送受信用のアンテナとともに設置される受信信号コンバーターであるＬＮＢ１を例に挙げて説明する。
【００３２】
このＬＮＢ１は、放送衛星から送信される微弱な電波を、デコーダーが扱えるレベルに増幅し信号を変換するものである。なお、ＬＮＢ１の電源は、ケーブルを通じてデコーダーから供給される。図３は、本発明の実施形態を示すものであり、ＬＮＢ１のダンボール箱４への収容時における梱包構造の一例を示す図である。なお、本実施形態では、図３において矢印Ｂの方向から見たＬＮＢ１をＬＮＢの背面とし、該背面と逆向きになる方向から見たＬＮＢ１をＬＮＢの正面とする。
【００３３】
上記ＬＮＢ１は、繊細な構造を有し、かつ高価な装置であるため、搬送時には該ＬＮＢ１に故障が生じないように梱包に工夫が必要となる。一般的には、ＬＮＢの筐体は、ＡＢＳ（アクリロニトリルブタジエンスチレン）樹脂などのプラスチックで構成されており外圧に弱く、運搬時に破壊が生じる可能性がある。そこで、本実施形態では、上記ＬＮＢ１の筐体６を以下のように形成して、該ＬＮＢ１の梱包を行う。
【００３４】
すなわち、図１および図２に示すように、本実施の形態に係るＬＮＢ１の筐体６は、プラスチック筐体部５とダイカスト部２とを組み合わせて構成している。そして、ＬＮＢ１では、この筐体６により該ＬＮＢ１を稼動させるための内部部材７を覆っている。なお、この図１は本実施の形態に係るＬＮＢ１の側面図であり、該ＬＮＢ１の正面に対して右手方向から見た図である。また、図２は、この図１に示すＬＮＢ１におけるＡ−Ａ´での断面図であり、該Ａ−Ａ´断面に対してＬＮＢ１の背面側（Ｂ方向）から見た図である。
【００３５】
上記プラスチック筐体部５は、プラスチックにより成形されており、その形状は、射出成形などにより任意とすることができる。このように任意にプラスチック筐体部５の形状を成形することができるため、ＬＮＢ１では消費者の購買意欲を向上させるようなデザインを施すことができる。
【００３６】
また、上記ダイカスト部２は、高圧を用いて例えばアルミなどの溶融金属を注湯して作られた鋳物であり、プラスチック筐体部５よりも外圧に対して破壊が生じにくいものである。このダイカスト部２は、本実施の形態に係るＬＮＢ１において、該ＬＮＢ１を実行させるための回路に生じる不要な電気（例えば静電気など）を外部に放出するために設けられている、内部部材７を構成する一部品である。
【００３７】
すなわち、本実施の形態に係るＬＮＢ１では、運搬時に上記筐体６において外圧を大きく受ける領域、特には当該筐体６の角部分領域を、筐体６内部に収容されている上記ダイカスト部２の一部によって形成している。
【００３８】
ここで本実施形態に係る筐体６の形成方法について説明する。
【００３９】
まず筐体６の外観形状を上記プラスチック筐体部５により形成し、筐体６の角部分領域（本実施形態では２箇所）に切り掛け部８を設ける。また、筐体６では、内部部材７の一部品として使用されているダイカスト部２の一部が、上記切り掛け部８から露出し、筐体６の角部分領域の形状となるように形成される。なお、このような形状となるダイカスト部２の成形は、上述したように該ダイカスト部２が溶融金属を注湯して作られた鋳物であるため、金型を工夫することにより容易に実現できる。
【００４０】
そして、上記したよう切り掛け部８を設けたプラスチック筐体部５とダイカスト部２とを組み合わせることにより、本実施の形態に係る筐体６を形成することができる。
【００４１】
以上のように本実施形態では、外圧を大きく受け、破壊が生じ易いＬＮＢ１の角部分領域において、筐体６に収容されている内部部材７の一部であるダイカスト部２を、筐体６外に切り掛け部８を通じて露出させている。このようにＬＮＢ１の筐体６が、ダイカスト部２とプラスチック筐体部５との組み合わせにより構成されているため、運搬時にＬＮＢ１において生じる外圧により筐体６（特にはプラスチック筐体部５）の破壊の発生を低減させることができる。
【００４２】
このため、上記ＬＮＢ１を梱包し運搬する場合、図３に示すように、従来のような角パッド１０２などの保護材を利用することなく、ＬＮＢ１を、仕切り３によってダンボール箱（収納容器）４内に形成された複数領域のうちの１つに収めるだけでよい。なお、この仕切り３は、例えばダンボールシート、板紙、あるいは合成樹脂板等によって形成することができる。
【００４３】
このように、従来のようなＬＮＢ１の角部分領域を保護するための角パッド１０２などの保護部材を準備する必要がないため、ＬＮＢ１の梱包にかかるコストを抑えることができる。さらには、ＬＮＢ１をダンボール箱４内に収容して梱包する場合、この保護材を設置する手間を省くことができるため、ＬＮＢ１の梱包作業の効率を向上させることができる。
【００４４】
また、上記したＬＮＢ１の梱包では、ダンボール箱４内に、従来のように角パッド１０２などの保護材を設置するための領域を確保しておく必要がない。このため、ダンボール箱４のサイズを従来よりも低減させることができ、一回に運搬可能なダンボール箱４の数を多くすることができる。あるいは、ダンボール箱の寸法が同じ場合では、本実施形態の方が従来の構成と比較して１つのダンボール箱４に収容可能なＬＮＢ１の数を増加させることができる。したがって、上記したＬＮＢ１の梱包では、従来のＬＮＢの梱包と比較して運搬効率を向上させることができる。
【００４５】
なお、本実施形態では、上記プラスチック筐体５において切り掛け部８を、２箇所だけ設ける構成であったが、この設ける切り掛け部８の数はこれに限定されるものではない。例えば、筐体６において、図２に示す切り掛け部８それぞれと対向する位置の角部分領域、すなわち図１に示すＬＮＢ１の側面図における左下部の立ち上がり部分領域、あるいは、このＬＮＢ１の側面図における右上隅の角部分領域にも切り掛け部８を設けダイカスト部２を露出させる構成であってもよい。なお、このような構成の場合、上記したダイカスト部２をさらに延長させこの新たに設けられた切り掛け部８からも露出するように形成していてもよい。あるいは、上記したダイカスト部２とは別の位置に配置された他のダイカスト部２の一部をこの新たに設けられた切り掛け部８から露出させるように形成されていてもよい。
【００４６】
すなわち、上記切り掛け部８の配置および数は、梱包するＬＮＢ１において運搬時に大きく外圧のかかる角部分領域の数および位置に応じて決定されることが好ましい。また、本実施形態では、梱包対象物としてＬＮＢ１を例に挙げて説明したが、上記したように、筐体６がダイカスト部２のような内部部材よりも外圧による破壊が生じ易い材料で形成されている機器全般に広く適用することができる。
【００４７】
（実施形態２）
上記では、実施形態１として梱包対象物であるＬＮＢ１が備える筐体６をダイカスト部２とプラスチック筐体部５とを組み合わせて形成することにより作業効率を向上させることが可能な梱包構造について説明した。
【００４８】
以下では、実施形態２として、仕切りの構成を工夫することにより、作業効率を向上させることが可能な梱包構造について図４〜図７を参照して説明する。なお、本実施形態（実施形態２）において、上記した実施形態１と同じ部材には同じ符号番号を付しその説明は省略する。また、図４は、本発明の別の実施形態（実施形態２）を示すものであり、ＬＮＢのダンボール箱への収容時における梱包構造の一例を示す図である。
【００４９】
本実施の形態（実施形態２）に係る梱包構造では、ダンボール箱４内に複数のＬＮＢ１１を収容可能とし、該ＬＮＢ１１を、ダンボール箱４内の所定位置に配置するために仕切り（配置部材）１３ａが設けられている。
【００５０】
すなわち、この梱包構造では、仕切り（配置部材）１３ａをダンボール箱４内に設置し、該仕切り１３ａによって区切られた領域にＬＮＢ１１を収容する。
【００５１】
上記仕切り１３ａは、空気袋１４ａを備えており、図４に示すように注入部（注入口）１６からユーザが空気を吹き込むことにより、該空気袋１４ａが膨張しＬＮＢ１１を収容するための空間領域を形成する。なお、上記空間領域は、収容するＬＮＢ１１をちょうど囲む程度の大きさとなっている。
【００５２】
上記仕切り１３ａにおいて、空気袋１４ａは、注入部１６から吹き込まれた空気によって容易に膨張し、かつ該空気を閉じ込めておくことができるようにポリ塩化ビニールなどによって形成されることが好ましい。
【００５３】
また、上記注入部１６は、注入された空気が漏れないようにするための蓋部（不図示）を備えている。
【００５４】
このように、ＬＮＢ１１は、注入された空気により膨張した空気袋１４ａに囲まれた領域に配置され、ダンボール箱４に収容される。このため、上記ＬＮＢ１１の運搬時において、該ＬＮＢ１１がダンボール箱４内部を移動することを防ぐことができる。また、仕切り１３ａは、弾性に富んでおり運搬時などにＬＮＢ１１にかかる外圧を吸収することができる。
【００５５】
このため、上記角パッド１０２などのようなさらなる保護材を必要とせず、また注入部１６から空気を吹き込むだけで組み立てることができるため、ＬＮＢ１１の梱包作業の効率を向上させることができる。
【００５６】
また、注入する空気の量に応じて、空気袋１４の弾性および膨張率を調整することができるため、異なる寸法のＬＮＢ１１を梱包する場合でも利用することができる。
【００５７】
さらに上記仕切り１３ａの膨張後の形状は、ＬＮＢ１１を囲むような図４に示す形状に限定されるものではなく、例えば、図５に示す仕切り（配置部材）１３ｂのように、複数の突起部１５…を備える形状としてもよい。
【００５８】
すなわち、図５に示す仕切り１３ｂは、上記した仕切り１３ａに加え、該仕切り１３ｂによって囲まれた内側において、突出している複数の突起部１５…を備えてなる形状である。なお、この図５は、本発明の別の実施形態（実施形態２）を示すものであり、ＬＮＢ１１のダンボール箱への収容時における梱包構造の一例を示す図である。
【００５９】
上記仕切り１３ｂでは、注入部１６から送りこまれる空気によって、空気袋１４ｂが、ＬＮＢ１１を囲む壁面部とともに、該壁面部から突出した突起部１５…を形成するように膨張する。このように膨張後の空気袋１４ｂでは、ＬＮＢ１１を収容する空間内に、複数の突起部１５…を形成しているため、この突起部１５…によってＬＮＢ１１と空気袋１４ｂとの間に生じる間隙をさらに埋めることができる。例えば、ＬＮＢ１１の形状は、凹凸部を有しているため、この凹凸部に上記突起部１５…がはまり込み、ダンボール箱４内の所定領域においてＬＮＢ１１をしっかり固定することができる。
【００６０】
このため、上記仕切り１３ｂのように、ＬＮＢ１１を収容する空間内に複数の突起部１５…を形成する構成と、仕切り１３ａのように上記突起部１５を形成しない構成とを比較した場合、ＬＮＢ１１をダンボール箱４内にさらにしっかり固定して収容させることができる。このため、上記した仕切り１３ｂは、運搬時に移動して他のＬＮＢ１１と衝突するなど外圧が生じる要因を、より一層防ぐことができる。
【００６１】
したがって、図５に示す仕切り１３ｂのように複数の突起部１５をさらに有する形状の方が、図４に示す仕切り１３ａよりも、搬送するＬＮＢ１１を破損させないようにダンボール箱４に収容することができるという点で有利である。ただし、仕切りの製造コストの点では、図５に示す仕切り１３ｂよりも図４に示した仕切り１３ａの方が複数の突起部１５を形成しなくてよい分だけ安価となる。
【００６２】
また、空気が注入され膨張後の上記仕切り１３ｂは、上記したように各ＬＮＢ１１を収容する空間領域を複数形成し、各空間領域内において複数の突起部１５…が形成されていた。
【００６３】
しかしながら仕切り１３ｂの形状はこれに限定されるものではなく、例えば図６または図７に示すようにダンボール箱４に収容する物品の形状に応じて、上記突起部１５…が形成されている構成であってもよい。
【００６４】
すなわち、図６に示すように、梱包対象物であるＬＮＢ１１が小型であり（以下ＬＮＢ１１ａと称する）、ダンボール箱４に４つ収容できる場合、ＬＮＢ１１ａの側面と対向するダンボール箱４の面位置に該ＬＮＢ１１ａの側面とダンボール箱４との間隙を埋めるための複数の突起部１５ａ…が設けられる。また、隣接する他のＬＮＢ１１ａとの間に生じる空間を埋めるために、ＬＭＢ１１ａを収容する空間領域の底部から上部に向かって、すなわちダンボール箱４の底部から上部に向かって突起する突起部１５ｂも形成される。
【００６５】
なお、上記突起部１５ａ…および突起部１５ｂ…は、それぞれ異なる大きさであり、またそれぞれが異なる突出量となっており、突起部１５ａ…および突起部１５ｂ…それぞれの大きさ、突出量は梱包対象となるＬＮＢ１１ａの大きさおよび形状に応じて適切に設定される。
【００６６】
このように、本実施の形態に係る仕切り１３ｂは、複数の異なる大きさおよび突出量の突起部１５ａ…および１５ｂ…から構成され、これら突起部１５ａ…および突起部１５ｂ…によって梱包対象物であるＬＮＢ１１ａを固定して収容する構成であってもよい。なお、この図６は、本発明の別の実施形態（実施形態２）を示すものであり、ＬＮＢ１１のダンボール箱４への収容様式の一例を示す図である。
【００６７】
あるいは、図７に示すように、梱包対象であるＬＮＢ１１が、上記ＬＮＢ１１ａよりも大型であり（以下ＬＮＢ１１ｂと称する）、ダンボール箱４に１つだけ収容可能な場合、
上記突起部１５ａ…および１５ｂ…は以下のように配置されることが好ましい。
【００６８】
すなわち、ＬＮＢ１１ｂの側面と対向するダンボール箱４の面位置に該ＬＮＢ１１ｂの側面とダンボール箱４との隙間を埋めるための複数の突起部１５ａ…が設けられる。
【００６９】
また、ＬＮＢ１１ｂの側面と、該ＬＮＢ１１ｂの側面と対向するダンボール箱４の側面との間に大きな間隙が生じる箇所については、ＬＭＢ１１ｂを収容する空間領域、すなわちダンボール箱４の底部から上部に向かって突出する、複数の突起部１５ｂ…が形成される。そして、この突起部１５ｂ…によってＬＮＢ１１ｂが固定されるようになっている。なお、この図７は、本発明の別の実施形態（実施形態２）を示すものであり、ＬＮＢ１１のダンボール箱４への収容様式の一例を示す図である。
【００７０】
なお、これら突起部１５ａ…および１５ｂ…の大きさおよび突出量もまた一定ではなく収容されるＬＮＢ１１ｂの形状、大きさに応じて適切に決められる。また、上記した複数の突起部１５ａ…または突起部１５ｂ…は、それぞれが注入部１６を有するのではなく、１つの注入部１６に空気を送り込むことにより複数の突起部１５ａ…および突起部１５ｂ…が形成されるように１つの空気袋１４ｂから構成されていることが好ましい。
【００７１】
なお、実施形態２では、梱包対象はＬＮＢ１またはＬＮＢ１１であったがこれらに限定されるものではなく、運搬時などに梱包される機器全般に適用することができる。
【００７２】
また、上記した実施形態１または実施形態２では、梱包対象物であるＬＮＢ１またはＬＮＢ１１をダンボール箱４に収容する構成となっているが、これに限定されるものではなく、例えば、板紙、あるいは合成樹脂板等によって構成された梱包用ケースであってもよい。
【００７３】
なお、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７４】
本発明に係る梱包対象物を梱包する場合、保護材の使用を低減させることができ、運搬時などに梱包作業が行われる物品全般に適用できる。
【図面の簡単な説明】
【００７５】
【図１】本発明の実施形態を示すものであり、ＬＮＢ１の側面図である。
【図２】本発明の実施形態を示すものであり、図１に示すＬＮＢにおけるＡ−Ａ´断面図である。
【図３】本発明の実施形態を示すものであり、ＬＮＢ１のダンボール箱への収容時における梱包構造の一例を示す図である。
【図４】本発明の別の実施形態を示すものであり、ＬＮＢのダンボール箱への収容時における梱包構造の一例を示す図である。
【図５】本発明の別の実施形態を示すものであり、ＬＮＢのダンボール箱への収容時における梱包構造の一例を示す図である。
【図６】本発明の別の実施形態を示すものであり、ＬＮＢのダンボール箱への収容様式の一例を示す図である。
【図７】本発明の別の実施形態を示すものであり、ＬＮＢのダンボール箱への収容様式の一例を示す図である。
【図８】従来技術を示すものであり、ＬＮＢのダンボール箱への収容時における梱包構造の一例を示す図である。
【符号の説明】
【００７６】
１      ＬＮＢ（梱包対象物）
２      ダイカスト部（第１筐体部）
３      仕切り
４      ダンボール箱（収納容器）
５      プラスチック筐体部（第２筐体部）
６      筐体（機器筐体）
７      内部部材
８      切り掛け部
１１    ＬＮＢ（梱包対象物）
１３ａ・１３ｂ  仕切り（配置部材）
１４ａ・１４ｂ  空気袋
１５・１５ａ・１５ｂ  突起部
１６    注入部（注入口）
【図１】
2007030955.tif 000003
【図２】
2007030955.tif 000004
【図３】
2007030955.tif 000005
【図４】
2007030955.tif 000006
【図５】
2007030955.tif 000007
【図６】
2007030955.tif 000008
【図７】
2007030955.tif 000009
【図８】
2007030955.tif 000010